(57)【要約】【課題】取付板を容易に着脱可能な道路用照明器具を提供する。【解決手段】道路用照明器具１は、略矩形の器具ケース２の底面２Ｂに取付台２３を配置し、取付台２３に、面内に発光素子を取り付けた取付板４０を着脱自在に設け、取付板４０の両縁４０Ａを器具ケース２の幅方向に器具ケース２の内壁まで延出させ、両縁４０Ａに、取付板４０を内壁に沿ってガイドするガイド部４３を設ける構成とする。【選択図】図４
2014235818.tif 000002
【特許請求の範囲】
【請求項１】
略矩形の器具ケースの底面に取付台を配置し、
前記取付台に、面内に発光素子を取り付けた取付板を着脱自在に設け、
前記取付板の両縁を前記器具ケースの幅方向に前記器具ケースの内壁まで延出させ、
前記両縁に、前記取付板を前記内壁に沿ってガイドするガイド部を設けたことを特徴とする道路用照明器具。
【請求項２】
前記取付板及び前記ガイド部は、熱伝導性を有する材料で形成され、前記内壁の面に沿って延びて、前記内壁に前記取付板の熱を伝える放熱部として構成したことを特徴とする請求項１に記載の道路用照明器具。
【請求項３】
前記器具ケースは、前記取付板を着脱するための開口部を有するとともに、開口部にパッキンを介して蓋体を配置して密閉に構成され、
前記ガイド部は、前記取付板を前記底面に向けて折り曲げて形成されることを特徴とする請求項１又は２に記載の道路用照明器具。
【請求項４】
前記ガイド部は、前記内壁との間に隙間を空けて設けたことを特徴とする請求項１乃至３のいずれかに記載の道路用照明器具。
【請求項５】
前記ガイド部は、先端が内側に折り曲げられていることを特徴とする請求項３又は４に記載の道路用照明器具。
【請求項６】
前記取付板は、前記器具ケースの長手方向に延出され、長手方向両側に把持部を有することを特徴とする請求項１乃至５のいずれかに記載の道路用照明器具。
【発明の詳細な説明】
【技術分野】
【０００１】
本発明は、発光素子を光源に備えた道路用照明器具に関する。
【背景技術】
【０００２】
従来、ＬＥＤ（発光素子）の高輝度化に伴いＬＥＤを光源とした道路用照明器具が開発されている（例えば、特許文献１参照）。この種の道路用照明器具では、ＬＥＤを光源に用いることで光源の長寿命化を図れるものの、数十年に一度にはＬＥＤを交換する必要があることから、ＬＥＤを取り付けた取付板を着脱自在に器具ケースに設けている。
【先行技術文献】
【特許文献】
【０００３】
【特許文献１】特開２０１１−１８７３０４号公報
【発明の概要】
【発明が解決しようとする課題】
【０００４】
ところで、道路用照明器具は高所に設けられるため、取付板を容易に着脱可能であることが望ましい。
しかしながら、取付板の着脱の容易性を考慮した道路用照明器具は提案されていなかった。
本発明は、上述した事情に鑑みてなされたものであり、取付板を容易に着脱可能な道路用照明器具を提供することを目的とする。
【課題を解決するための手段】
【０００５】
上述した目的を達成するために、本発明は、略矩形の器具ケースの底面に取付台を配置し、前記取付台に、面内に発光素子を取り付けた取付板を着脱自在に設け、前記取付板の両縁を前記器具ケースの幅方向に前記器具ケースの内壁まで延出させ、前記両縁に、前記取付板を前記内壁に沿ってガイドするガイド部を設けたことを特徴とする。
この構成によれば、取付板の着脱時に取付板のガイド部が器具ケースの内壁に沿って案内されるので、取付板を容易に着脱できる。
【０００６】
上述の構成において、前記取付板及び前記ガイド部は、熱伝導性を有する材料で形成され、前記内壁の面に沿って延びて、前記内壁に前記取付板の熱を伝える放熱部として構成してもよい。
この構成によれば、発光素子の熱が、取付板から放熱されるとともに、ガイド部を介して内壁に放熱されるので、発光素子を効果的に冷却できる。
【０００７】
上述の構成において、前記器具ケースは、前記取付板を着脱するための開口部を有するとともに、開口部にパッキンを介して蓋体を配置して密閉に構成され、前記ガイド部は、前記取付板を前記底面に向けて折り曲げて形成されてもよい。
この構成によれば、取付板を取り外す際に、パッキンが剥離することを防止できる。
【０００８】
上述の構成において、前記ガイド部は、前記内壁との間に隙間を空けて設けてもよい。
この構成によれば、取付板を着脱する際に、取付板がパッキンに接触することを防止できる。
【０００９】
上述の構成において、前記ガイド部は、先端が内側に折り曲げられていてもよい。
この構成によれば、取付板を取り付ける際に、取付板がパッキンに接触することを防止できる。
【００１０】
上述の構成において、前記取付板は、前記器具ケースの長手方向に延出され、長手方向両側に把持部を有してもよい。
この構成によれば、作業者が自然な姿勢で取付板を把持できるので、取付板を容易に着脱できる。
【発明の効果】
【００１１】
本発明によれば、取付板の両縁を器具ケースの幅方向に器具ケースの内壁まで延出させ、両縁に、取付板を内壁に沿ってガイドするガイド部を設けたため、取付板の着脱時に取付板のガイド部が器具ケースの内壁に沿って案内されるので、取付板を容易に着脱できる。
【図面の簡単な説明】
【００１２】
【図１】本発明の実施形態に係るトンネル照明器具を示す図であり、（Ａ）は正面図、（Ｂ）は側面図、（Ｃ）は底面図である。
【図２】トンネル照明器具の設置状態を示す図である。
【図３】図１のＩＩＩ−ＩＩＩ断面を示す縦断面図である。
【図４】図１のＩＶ−ＩＶ断面を示す横断面図である。
【図５】本発明変形例に係るトンネル照明器具を示す縦断面図である。
【発明を実施するための形態】
【００１３】
以下、図面を参照して本発明の実施形態について説明する。なお、この実施形態では、道路用照明器具の一例として、トンネル照明器具を例示する。
図１は、本実施形態に係るトンネル照明器具１を示す図であり、図１（Ａ）は正面図、図１（Ｂ）は底面図、図１（Ｃ）は側面図である。図２は、トンネル照明器具１の設置状態を示す図である。なお、本明細書では、図１（Ａ）に示すように、紙面の手前に向けて垂直に向いた方向を正面方向、紙面上側、及び下側を上方向、及び下方向、紙面左側、及び右側を左方向、及び右方向と定義する。
【００１４】
トンネル照明器具１の構成の説明に先立って当該トンネル照明器具１の設置状態を説明する。図２に示すように、トンネル照明器具１は、道路８１が延びるトンネル８０の壁面又は天井面（本実施形態では天井面）に、道路８１に沿って所定間隔で設置される。道路８１は、平行に延びる２本の車道外側線８２Ａ、８２Ｂで路面８２が区画されている。本実施形態では、トンネル照明器具１は、直近側（手前側）の車道外側線８２Ａから幅Ｗ１だけ路面８２に進入した位置あるいは路面８２外に後退した位置に、灯具光軸Ｇが遠方側（手前側と反対側）の車道外側線８２Ｂから幅Ｗ２だけ手前側あるいは奥側に位置する姿勢でトンネル８０の天井面に設置されている。
なお、本明細書では、道路８１が延びる方向（車両が走行する方向）を縦断方向Ｊと定義し、この縦断方向Ｊに直交する方向を横断方向Ｍと定義する。
【００１５】
次いで、トンネル照明器具１の構成を説明する。
トンネル照明器具１は、図１に示すように、正面が開口した器具ケース２を備える。器具ケース２は、金属等の耐食性及び熱伝導性に優れた材料で左右方向に長い正面視矩形の箱型に形成されており、正面開口（開口部）７には、平板状の前面ガラス（蓋体）３が嵌め込まれている。前面ガラス３は、器具ケース２の上側面１Ａに一対の蝶番４で開閉自在に結合され、器具ケース２の下側面１Ｂに一対のラッチ５で留められている。器具ケース２の正面開口７には、前面ガラス３との間をシールするシール部材としてのパッキン９が段部として構成された開口縁２Ａに沿って設けられている。また器具ケース２の背面（底面）には、器具ケース２をトンネル８０（図２）内に設置するための金具６が取り付けられている。
このトンネル照明器具１は、前面ガラス３を道路８１の路面８２（図２）に対面させ、左側面１Ｃ、及び右側面１Ｄを結ぶ方向である左右方向Ｉを道路８１の縦断方向Ｊに合わせた姿勢で、トンネル８０に設置される。
【００１６】
器具ケース２の中には、光源部１０と、電源端子台１１と、電源ボックス１２とが収められている。
光源部１０は、発光素子の一例たるＬＥＤを光源とするものであり、その詳細は後述する。電源端子台１１は、器具ケース２の外から引き込まれた配線と、電源ボックス１２の配線とを結線する。電源ボックス１２は、光源部１０を駆動する直流電力を生成するものであり、ＡＣ−ＤＣ変換器を内蔵し、外部から供給される商用の交流電力を直流電力に変換し光源部１０に供給する。なお、電源ボックス１２は、外部からの調光指示に基づいて直流電力（例えば直流電流）を可変し、光源部１０の光量を可変しても良い。また器具ケース２には、停電時等に使用する非常用の電力としてバッテリーを内蔵しても良い。これらの電源端子台１１、電源ボックス１２等の電子部品は、光源部１０の下方に配置されている。
【００１７】
図３は、図１のＩＩＩ−ＩＩＩ断面を示す縦断面図である。
光源部１０は、図１及び図３に示すように、複数の光源ユニット３０と、この光源ユニット３０を取り付ける取付板４０とを備えている。
光源ユニット３０は、図１（Ａ）に示すように、発光素子モジュール３１と、この発光素子モジュール３１を囲む反射体３２とを備えている。
【００１８】
発光素子モジュール３１は、多数のＬＥＤを基板（不図示）の上に密集配置して正面視略円形（四角形も有り得る）の面状の発光部３５を形成したチップオンボード（ＣＯＢ）構造のＬＥＤモジュールである。この面状の発光部３５は、この面に略垂直な方向に光軸を有し、この光軸Ｆが上記正面方向を指向する姿勢で器具ケース２に収められている。本実施形態の発光素子モジュール３１の光度分布は、完全拡散面光源にほぼ近い形に広がっている。
【００１９】
一般に、チップオンボード構造のＬＥＤモジュールは、多数のＬＥＤが密集配置されていることから大光量で輝度が高く、光出力も大きい。
したがって、この発光素子モジュール３１を光源ユニット３０が光源に備えることで、大光量の光源ユニットとすることができる。
本実施形態では、図１及び図３に示すように、光源部１０は、８つの発光素子モジュール３１を備えることで、更なる光量の増加が図られている。具体的には、矩形板状の配線基板３６の上下両側に、２つの発光素子モジュール３１が縦並びに搭載されて発光素子モジュールユニット３７として構成され、４つの発光素子モジュールユニット３７が左右に並べて取付板４０の面上に配置される。配線基板３６には、発光素子モジュール３１と取付板４０の電気絶縁耐圧を得られ、かつ、放熱性を有する材料、例えば、セラミック材が使用されている。１つの発光素子モジュールユニット３７に搭載する発光素子モジュール３１の数を、トンネル照明器具１に要求される光量に応じて変えても良い。発光素子モジュールユニット３７は、固定部材によって取付板４０に固定されている。
【００２０】
反射体３２は、発光素子モジュール３１の光を配光するものであり、この反射体３２により、光源ユニット３０にあっては、左右に延びた横長の配光が得られている。
光源部１０は、上述の通り、複数の光源ユニット３０を備えるが、各光源ユニット３０は、互いに同じ配光を有し、路面８２の略同じ照射エリアを照明することで、路面輝度及び壁面輝度が高められている。
【００２１】
次いで、図１及び図４を参照し、トンネル照明器具１の放熱構造について説明する。図４は、図１のＩＶ−ＩＶ断面を示す横断面図である。
器具ケース２の背面（底面）２Ｂには、ヒートシンク２１が設けられている。ヒートシンク２１は、熱伝導性に優れたアルミダイカストあるいはアルミ鋳物として構成され、器具ケース２の背面２Ｂに設けた背面開口８に設けられている。ヒートシンク２１は、図４に示すように、器具ケース２内に配置される略板状の基部２１Ａと、基部２１Ａの背面から背面開口８を介して器具ケース２の外部に露出する露出部２１Ｂとを備えている。基部２１Ａは、背面開口８より大きく形成され、器具ケース２内に配置されて器具ケース２の背面に固定されており、背面開口８を閉塞している。露出部２１Ｂには、上下に延びる溝２１Ｃが設けられて、複数枚（本実施の形態では、７枚）の放熱フィン２１Ｄが形成されている。ヒートシンク２１の基部２１Ａには、背面開口８に対応して溝２１Ｅが一周にわたって形成されている。この溝２１Ｅにパッキン１７を配置することで、ヒートシンク２１と背面開口８との間にパッキン１７が間挿され、器具ケース２内部への水等の侵入が防止される。
【００２２】
基部２１Ａの表面には、熱伝導性に優れたアルミニウム等の材料で板状に形成した放熱板２２が固定されており、この放熱板２２に、取付板４０を支持する取付台２３が複数固定されている。取付台２３は、熱伝導性に優れたアルミニウム等の材料で縦長の略角柱状に形成され、上下に配置されている。例えば、取付台２３を左右に配置すると、器具ケース２内の熱が取付台２３に溜まり、器具ケース２内に温度むらが生じるおそれがあるが、取付台２３を上下に配置することでそのような温度むらを防止できる。この取付台２３は、発光素子モジュール３１の熱を効果的に放熱できるように、発光素子モジュールユニット３７に沿って配置されている。取付台２３は、これらの取付台２３に、光源ユニット３０を固定した取付板４０が取り付けられる。
【００２３】
取付台２３は、角柱状の本体部２３Ａを備え、本体部２３Ａの放熱板２２と接触する側に、器具ケース２の左右方向Ｉに延出する延出部２３Ｂを備え、本体部２３Ａの取付板４０と接触する側に、左右方向Ｉに広がる広がり部２３Ｃを備えている。延出部２３Ｂ及び広がり部２３Ｃは本体部２３Ａの上下方向に亘って設けられており、取付台２３は、延出部２３Ｂが複数のねじ（固定手段）５１によって放熱板２２に固定されることで、放熱板２２に支持される。取付台２３は、本体部２３Ａより幅が広い延出部２３Ｂ及び広がり部２３Ｃによって、放熱板２２との間、及び、取付台２３との間の接触面積を増やし、熱伝達性を向上させている。しかも、取付台２３を、発光素子モジュール３１の直下に配置しているため、発光素子モジュール３１の熱を速やかに放熱板２２及びヒートシンク２３に伝達できる。
【００２４】
取付板４０は、熱伝導性に優れたアルミニウム等の材料で左右方向に長い正面視矩形の板状に形成されており、これらの放熱板２２、取付台２３及び取付板４０はヒートシンク２１とともに放熱部材を構成している。
また、取付板４０を取付台２３に固定することで、光源ユニット３０が前面ガラス３の近傍（正面開口７の近傍）に配置されるので、光源ユニット３０の光が器具ケース２の内壁２Ｃでの遮蔽を抑えて効率良く取り出される。
【００２５】
次に、取付板４０の着脱構造を説明する。
取付板４０は、取付台２３に着脱自在に固定される。具体的には、図１に示すように、取付台２３に固定した複数のねじ（固定手段）５２に対応するように、取付板４０の上部に複数のだるま穴４１、取付板４０の下部に切り欠き部４２が形成されている。したがって、ねじ５２を借り止めした状態で、ねじ５２がだるま穴４１及び切り欠き部４２に係合するように、取付板４０を取付台２３に宛がうことで、取付板４０が借り固定され、ねじ５２を締めることで取付板４０が取付台２３に固定される。なお、だるま穴４１及び切り欠き部４２は、本実施形態の借り止め手段を構成している。
【００２６】
取付板４０は、図１及び図４に示すように、当該取付板４０の左右方向Ｉ（本実施形態では、長手方向）の両縁４０Ａが器具ケース２の内壁２Ｃまで延出する大きさに形成されている。取付板４０の両縁４０Ａには、取付板４０を内壁２Ｃに沿ってガイドするガイド部４３が一体に設けられている。具体的には、ガイド部４３は、取付板４０を構成する熱伝導性の板を器具ケース２の背面２Ｂに向けて、折り曲げて形成されている。ガイド部４３は、縁４０Ａに亘って形成されており、内壁２Ｃの面に沿って平面状に延びている。
【００２７】
ここで、器具ケース２の左右方向Ｉを長手の幅方向、器具ケース２の上下方向Ｋを短手の幅方向とする。本実施形態では、器具ケース２は、角部を丸めた箱型に形成されているため、器具ケース２の正面視における角部２Ｄに対応する取付板４０の角部を斜めに形成して面取り部４０Ｂを設けている。器具ケース２を角部を丸めていない箱型に形成した場合には、面取り部４０Ｂを設ける必要はなく、取付板４０の短手の幅方向に亘って、ガイド部４３を設ければよい。
また、角部を丸めた箱型に形成されているため、ガイド部４３の先端４３Ａを放熱板２２に接触させていないが、器具ケース２を角部を丸めていない箱型に形成した場合には、ガイド部４３の先端４３Ａを放熱板２２に接触させてもよい。
【００２８】
ガイド部４３は、内壁２Ｃとの間に若干の隙間δを空けるように設けられている。この隙間δは、パッキン９への取付板４０の接触を防止することが可能な隙間に設定される。取付板４０から内壁２Ｃへの伝熱性の観点からは、この隙間δは小さい方が望ましい。
取付板４０の長手方向両側には、図１に示すように、作業者が手を入れて取付板４０を把持可能な貫通孔４４が形成されている。取付板４０の把持部を貫通孔４４として形成することで、部品点数を増加させることなく、把持部を容易に形成できる。
【００２９】
次に、本実施形態の作用について説明する。
光源ユニット３０を固定した取付板４０を取り付ける際には、作業者は、まず、取付台にねじ５２を借り止めしておき、貫通孔４４に手を挿し入れて取付板４０を把持する。ここで、貫通孔４４は取付板４０の長手方向両側に形成されているため、作業者は力を入れやすい両手を広げた状態で、バランス良く取付板４０を把持できる。
次いで、作業者は、取付板４０を器具ケース２の正面開口７に挿入する。このとき、取付板４０のガイド部４３が器具ケース２の内壁２Ｃに沿うように案内されるため、作業者は、取付板４０を器具ケース２内に容易に挿入することができる。取付板４０は、ガイド部４３と内壁２Ｃとの間に隙間δを有する大きさに形成したため、取付板４０を器具ケース２内に挿入する際に、取付板４０がパッキン９に接触することを防止できる。取付板４０がパッキン９に接触すると、パッキン９が損傷したり、剥離したりするおそれがある。
【００３０】
そして、作業者は、ねじ５２がだるま穴４１及び切り欠き部４２に係合するように、取付板４０を取付台２３に宛がうことで、取付板４０が取付台２３に借り固定される。取付板４０が借り固定されているため、作業者は取付板４０から手を離すことができ、ねじ５２を容易に締めることができる。
取付板４０が取付台２３に固定された状態では、ガイド部４３が器具ケース２の内壁２Ｃに沿って延びており、ガイド部４３と内壁２Ｃが比較的広い面積で対応しているため、ガイド部４３は内壁２Ｃに取付板４０の熱を伝える放熱部として機能する。
【００３１】
取付板４０を取り外す際には、作業者は、まず、取付板４０を借り固定できる程度にねじ５２を緩めておき、貫通孔４４に手を挿し入れて取付板４０を把持して、取付板４０を器具ケース２から引き抜く。このとき、取付板４０のガイド部４３が器具ケース２の内壁２Ｃに沿うように案内されるため、作業者は、取付板４０を器具ケース２から容易に引き抜くことができる。取付板４０は、ガイド部４３と内壁２Ｃとの間に隙間δを有する大きさに形成したため、取付板４０を取り外す際に、取付板４０がパッキン９に接触することを防止できる。しかも、ガイド部４３は、取付板４０を器具ケース２の背面２Ｂに向けて折り曲げて形成され、取付板４０の両縁４０Ａの角が丸められているため、取付板４０がパッキン９に接触したとしても、パッキン９が剥離することを防止できる。
【００３２】
以上説明したように、本実施形態によれば、取付板４０の両縁４０Ａを器具ケース２の幅方向に器具ケース２の内壁２Ｃまで延出させ、両縁４０Ａに、取付板４０を内壁２Ｃに沿ってガイドするガイド部４３を設ける構成とした。この構成により、取付板４０の着脱時に取付板４０のガイド部４３が器具ケース２の内壁２Ｃに沿って案内されるので、取付板４０を容易に着脱できる。
【００３３】
また、本実施形態によれば、取付板４０及びガイド部４３は、熱伝導性を有する材料で形成され、内壁２Ｃの面に沿って延びて、内壁２Ｃに取付板４０の熱を伝える放熱部として構成した。この構成により、発光素子の熱が、取付板４０から放熱されるとともに、ガイド部４３を介して内壁２Ｃに放熱されるので、発光素子を効果的に冷却できる。
【００３４】
また、本実施形態によれば、器具ケース２は、取付板４０を着脱するための正面開口７を有するとともに、正面開口７にパッキン９を介して蓋体を配置して密閉に構成され、ガイド部４３は、取付板４０を背面２Ｂに向けて折り曲げて形成される構成とした。この構成により、取付板４０を取り外す際に、パッキン９が剥離することを防止できる。
【００３５】
また、本実施形態によれば、ガイド部４３は、内壁２Ｃとの間に隙間δを空けて設けたため、取付板４０を着脱する際に、取付板４０がパッキン９に接触することを防止できる。
【００３６】
また、本実施形態によれば、取付板４０は、器具ケース２の長手方向に延出され、長手方向両側に把持部を有するため、作業者が自然な姿勢で取付板４０を把持できるので、取付板４０を容易に着脱できる。
【００３７】
但し、上述の実施形態は本発明の一態様であり、本発明の趣旨を逸脱しない範囲において適宜変更可能であるのは勿論である。
例えば、上述の実施形態では、ガイド部４３の先端４３Ａも内壁２Ｃの面に沿って延びていたが、図５に示す取付板１４０の例ように、ガイド部１４３の先端１４３Ａは内側に折り曲げられていてもよい。これにより、取付板１４０の着脱時にパッキン９に接触することをより効果的に防止できる。なお、図５の例では、ガイド部１４３の先端１４３Ａを放熱板２２に接触させたが、接触させなくてもよい。
【００３８】
また、上述の実施形態では、取付板４０の下方に電源端子台１１、電源ボックス１２等の電子部品を配置したため、ガイド部４３を左右の両縁４０Ａに設けたが、これに限定されるものではない。例えば、ガイド部４３を左右の両縁４０Ａに設けるとともに、取付板４０の上の縁４０Ｃを上側の内壁２Ｃまで延出させ、上の縁４０Ｃにもガイド部を設けてもよい。さらに、例えば、電源端子台１１、電源ボックス１２等の電子部品を取付板４０上に配置できる場合等には、ガイド部４３を、ガイド部４３を左右の両縁４０Ａに代えて上下の両縁４０Ｃに設けてもよく、さらには、上下左右の両縁４０Ａに設けてもよい。
【００３９】
また、上述の実施形態では、ガイド部４３は取付板４０を折り曲げて取付板４０と一体に形成したが、取付板４０と別体のガイド部４３を取付板４０に取り付けてもよい。
また、上述の実施形態では、ガイド部４３は、器具ケース２の背面２Ｂに向けて延出していたが、器具ケース２の正面開口７に延出していてもよい。
【００４０】
また、上述の実施形態では、把持部は、取付板４０に設けた貫通孔４４として構成したが、これに限定されるものではなく、例えば、取付板４０に取り付けた把持可能な取手として構成してもよい。
また、上述の実施形態では、ヒートシンク２１を設けたが、ヒートシンク２１は省略してもよい。
【００４１】
また、上述の実施形態では、発光素子の一例としてＬＥＤを例示したが、これに限らず、任意の素子を用いることができる。
また例えば、トンネル照明器具を道路用照明器具の一例として例示したが、これに限らず、例えば高速道路の遮音壁の壁面に設置されて路面を照明する照明器具といったように、各種の道路用照明器具に応用が可能である。
【符号の説明】
【００４２】
１，１００  トンネル照明器具（道路用照明器具）
２  器具ケース
２Ｂ  背面（底面）
２Ｃ  内壁
３  前面ガラス（蓋体）
７  正面開口（開口部）
８  背面開口
９  パッキン
２１  取付台
３０  発光素子モジュール
４０  取付板
４０Ａ  両縁
４３  ガイド部（放熱部）
４３Ａ  先端
４４  貫通孔（把持部）
Ｉ  左右方向（幅方向）
δ  隙間
【図１】
2014235818.tif 000003
【図２】
2014235818.tif 000004
【図３】
2014235818.tif 000005
【図４】
2014235818.tif 000006
【図５】
2014235818.tif 000007